(57)【要約】【課題】プレ空調の実行に必要なバッテリの充電量が不足することを回避可能な空調制御システムを提供する。【解決手段】空調制御システム１は、乗員の乗車前に車室内を空調するプレ空調を実行可能な車両用空調装置１５と、車両用空調装置１５に駆動電力を供給するバッテリ１７ａとを備える。空調制御システム１は、車両の目的地を取得する目的地取得部１４ａと、目的地でプレ空調を実行して車室内温度を目標温度に到達させるために必要な必要ＳＯＣを予測する必要ＳＯＣ予測部１４ｄとを備える。空調制御システム１は、車両が目的地に到着した時点での充電量が目標電力量以上となるようにバッテリ１７ａの充電量を制御する充電量制御部１６ａを備える。【選択図】図２
2019081470.tif 000002
【特許請求の範囲】
【請求項１】
エンジン（１９ａ）およびモータ（１８ａ）を走行駆動源として有する車両（１０）において乗員の乗車前に車室内を空調するプレ空調を実行可能な車両用空調装置（１５）と、
前記車両用空調装置に駆動電力を供給するバッテリ（１７ａ）と、
前記車両の目的地を取得する目的地取得部（１４ａ）と、
前記目的地にて前記乗員が前記車両に再乗車する前に前記プレ空調を実行して車室内温度を目標温度に到達させるために必要な目標電力量を予測する目標電力量予測部（１４ｄ）と、
前記車両が前記目的地に到着した時点での充電量が前記目標電力量以上となるように前記バッテリの充電量を制御する充電量制御部（１６ａ）と、
を備える空調制御システム。
【請求項２】
前記目的地において前記プレ空調を実行する際の熱負荷を予測する熱負荷予測部（１４ｃ）をさらに備え、
前記目標電力量予測部は、
前記熱負荷予測部において予測された前記熱負荷に基づいて前記目標電力量を予測する請求項１に記載の空調制御システム。
【請求項３】
前記目的地にて前記プレ空調を開始する開始時刻を予測する開始時刻予測部（３３ｄ）と、
前記開始時刻における前記車室内温度を予測する開始時温度予測部（１４ｂ）と、
を備え、
前記熱負荷予測部は、
前記開始時温度予測部において予測された前記開始時刻における前記車室内温度と、前記目標温度との差から前記熱負荷を予測する請求項２に記載の空調制御システム。
【請求項４】
前記目的地における前記車室内温度の最大温度変化量を予測する変化量予測部（１４ｃ１）をさらに備え、
前記熱負荷予測部は、
前記最大温度変化量だけ変化した前記車室内温度と前記目標温度との差から前記熱負荷を予測する請求項２に記載の空調制御システム。
【請求項５】
前記目的地における駐車場の施設情報を取得する駐車場情報取得部（３３ｃ）をさらに備え、
前記熱負荷予測部は、
前記駐車場情報取得部にて取得された前記駐車場の施設情報を前記熱負荷の予測に使用する請求項２から請求項４のいずれか１項に記載の空調制御システム。
【請求項６】
前記車両用空調装置が実行する空調の設定温度の履歴に基づいて前記目標温度を設定する目標温度設定部（１４ｆ）をさらに備える請求項１から請求項５のいずれか１項に記載の空調制御システム。
【請求項７】
前記モータは、前記エンジンの駆動力で発電可能であって、
前記充電量制御部は、
前記車両が前記目的地に対して所定距離以内に接近した場合に前記モータの発電によって前記バッテリに対する充電を開始することで、前記目的地に到着した時点での充電量が前記目標電力量以上となるように前記バッテリの充電量を制御する請求項１から請求項６のいずれか１項に記載の空調制御システム。
【発明の詳細な説明】
【技術分野】
【０００１】
この明細書における開示は、車両用空調装置を制御する空調制御システムに関する。
【背景技術】
【０００２】
特許文献１には、乗員が乗車する前に行う車室内の空調、所謂プレ空調に関する技術が開示されている。この技術では、乗員の携帯する発信機が、プレ空調を開始指示するためのプレ空調リクエスト信号と、乗員の位置情報とを共に車両に送信する。プレ空調リクエスト信号を受信した車両のＥＣＵは、乗員の位置情報および車両の位置情報に基づいて乗員から車両までの距離を推定し、乗員が車両に乗り込むまでの時間を推定する。そして、バッテリの残量を検出してプレ空調可能な時間を算出し、プレ空調可能時間と、乗員が車両に乗り込むまでの時間とに基づいて、プレ空調の開始タイミングを決定する。
【先行技術文献】
【特許文献】
【０００３】
【特許文献１】特許第４２６５５６６号公報
【発明の概要】
【発明が解決しようとする課題】
【０００４】
特許文献１の技術では、バッテリの残量の制御に関しては開示されていない。一方で従来の空調制御システムにおいては、バッテリの残量によってはプレ空調の実行時間が短くなり、乗員が車両に乗り込む際に車室内温度が目標温度に到達していない状況が考えられる。すなわち、従来の空調制御システムでは、プレ空調の実行に必要なバッテリの充電量が不足する状況が考えられる。
【０００５】
開示される目的は、プレ空調の実行に必要なバッテリの充電量が不足することを回避可能な空調制御システムを提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００７】
開示された空調制御システムのひとつは、エンジン（１９ａ）およびモータ（１８ａ）を走行駆動源として有する車両（１０）において乗員の乗車前に車室内を空調するプレ空調を実行可能な車両用空調装置（１５）と、車両用空調装置に駆動電力を供給するバッテリ（１７ａ）と、車両の目的地を取得する目的地取得部（１４ａ）と、目的地にて乗員が車両に再乗車する前にプレ空調を実行して車室内温度を目標温度に到達させるために必要な目標電力量を予測する目標電力量予測部（１４ｄ）と、車両が目的地に到着した時点での充電量が目標電力量以上となるようにバッテリの充電量を制御する充電量制御部（１６ａ）と、を備える。
【０００８】
この開示によれば、空調制御システムは、車両が目的地に到着した時点で、プレ空調により車室内温度を目標温度に到達させるために必要な目標充電量を充電しているようにバッテリの充電量を制御することができる。したがって、プレ空調の実行に必要なバッテリの充電量が不足することを回避可能な空調制御システムを提供することができる。
【図面の簡単な説明】
【０００９】
【図１】第１実施形態に係る空調制御システムを示す概略図である。
【図２】第１実施形態に係る空調制御システムを示すブロック図である。
【図３】第１実施形態の空調制御システムが実行する処理を示すフローチャートである。
【図４】ＳＯＣおよび車室内温度の時間変化の様子の一例を示すグラフである。
【図５】第２実施形態に係る空調制御システムを示すブロック図である。
【図６】第３実施形態に係る空調制御システムを示すブロック図である。
【発明を実施するための形態】
【００１０】
（第１実施形態）
第１実施形態の空調制御システム１について、図１〜図６を参照しながら説明する。空調制御システム１は、例えば、車両１０と、携帯端末２０と、サーバ装置３０とを備える。空調制御システム１は、車両１０の車室内の空調を行う車両用空調装置１５の作動を制御することができる。特に空調制御システム１は、乗員が車両１０に乗車する前に車室内を空調するプレ空調の実行を制御する。空調制御システム１は、乗員が車両に対して閾値Ｌｓ以内に接近するとプレ空調を実行開始するシステムである。空調制御システム１は、例えばモータとエンジンの両方を走行駆動源として利用するハイブリッド車およびプラグインハイブリッド車等が搭載する車両用空調装置１５の制御システムとして適用される。空調制御システム１は、プレ空調の実行に必要なバッテリ１７ａの電力残量を管理する。
【００１１】
携帯端末２０は、図２に示すように無線通信部２１と、制御部２３とを備える。携帯端末２０は、乗員が持ち運び可能な通信デバイスである。携帯端末２０は、例えばスマートフォン、ウェアラブルデバイス、タブレット端末等、車両１０を利用する乗員が所有する通信デバイスによって提供することができる。携帯端末２０は、電子キーやスマートキー等の車両１０ドアの施解錠の許可を行う機能を有する通信端末によって提供されてもよい。無線通信部２１は、車両１０の無線通信部１１と同様に公衆回線網および基地局を介してサーバ装置３０と無線通信を行う。測位部は、ＧＮＳＳ（Global Navigation Satellite System）受信機を備える。測位部２２は、ＧＮＳＳ受信機による測位信号に基づいて携帯端末２０の位置を決定する。すなわち測位部２２は、携帯端末２０の位置を特定する機能を有する。測位部２２は、得られた端末位置情報を無線通信部からサーバ装置３０へと送信可能である。携帯端末２０は乗員が持ち運ぶので、端末位置情報は乗員の位置情報とみなすことができる。
【００１２】
制御部２３は、コンピュータによって読み取り可能な記憶媒体を備えるマイクロコンピュータを主なハードウェア要素として備える。記憶媒体は、コンピュータによって読み取り可能な所定のプログラムを非一時的に記憶する非遷移的実体的記憶媒体である。記憶媒体は、半導体メモリまたは磁気ディスクなどによって提供されうる。制御部２３は、記憶媒体に記憶された各種のプログラムをＣＰＵ等のプロセッサによって実行することで、各種制御処理を実施する機能を有する。制御部２３は、測位部２２が取得した位置情報を、無線通信部２１からサーバ装置３０へと送信する機能を有する。
【００１３】
次にサーバ装置３０について説明する。サーバ装置３０は、無線通信部３１と、制御部３３と、データ格納部３２とを有する。サーバ装置３０は、例えば管理センタに設置されたホストコンピュータによって提供される。サーバ装置３０は、１台のコンピュータまたは複数のコンピュータによって構成される。無線通信部３１は、インターネット、携帯電話網等の公衆回線網および基地局を介して車両１０および携帯端末２０と無線通信を行う。無線通信部３１は、車両１０および携帯端末２０と相互通信可能である。
【００１４】
データ格納部３２は、無線通信部３１が受信したデータ、制御部３３による演算処理結果等を記憶して蓄積する記憶装置である。データ格納部３２は、例えば乗員の行動パターン等を記憶する。乗員の行動パターンとは、例えば乗員が車両１０を運転して向かった場所、施設の種類と、向かった場所で乗員が滞在した時間等である。データ格納部３２は、これらの情報を、車両１０および携帯端末２０の位置情報を取得することで記憶する。また、データ格納部３２は、駐車場の施設情報をデータベースとして記憶する。ここで駐車場の施設情報とは、各地の駐車場の構造等により決定される駐車場の日当たり情報である。駐車場の施設情報は、その駐車場に駐車された車両１０の受ける日射量が、遮蔽物のない状態で受ける日射量に対してどの程度の量かを評価するための情報である。例えば、平面駐車場等の屋根がない構造の駐車場では、日射が遮蔽されることなく車両１０に到達する。また、立体駐車場等の屋根がある構造の駐車場では、日射が遮蔽されるため、車両１０に到達する日射量は減少する。または、屋根の有無だけでなく、周囲の建造物等から日射量を評価してもよい。
【００１５】
制御部３３は、コンピュータによって読み取り可能な記憶媒体を備えるマイクロコンピュータを主なハードウェア要素として備える。記憶媒体は、コンピュータによって読み取り可能な所定のプログラムを非一時的に記憶する非遷移的実体的記憶媒体である。記憶媒体は、半導体メモリまたは磁気ディスクなどによって提供されうる。制御部３３は、記憶媒体に記憶された各種のプログラムをＣＰＵ等のプロセッサによって実行することで、各種制御処理を実施する機能を有する。特に制御部３３は、接近判定部３３ａ、駐車場情報取得部３３ｃ、開始時刻予測部３３ｄ、プレ空調開始指示部３３ｊとしての機能を有する。
【００１６】
目的地推定部３３ｂは、乗員の現在地が予め設定された滞在地であるか否かを判定する。目的地推定部３３ｂは、データ格納部３２が格納する乗員の行動パターンに基づいて、乗員の目的地を推定する。目的地推定部３３ｂは、特に乗員がカーナビ等で目的地を設定しなかった場合に、目的地を推定する。より具体的な例としては、目的地推定部３３ｂは、乗員が平日何時に出社して何時に帰宅するかといった定常的な行動スケジュール、またその場合にどのような経路で出発地から目的地まで車両１０を運転するかといった経路情報等に基づき乗員の目的地を推定する。目的地推定部３３ｂは、推定する時点での乗員および車両１０の位置や時間等の行動パターンがデータ格納部３２に記憶された行動パターンと実質的に一致する場合に、記憶された行動パターンをもとに乗員の目的地を推定する。
【００１７】
接近判定部３３ａは、携帯端末２０と車両１０との間の現在距離Ｌｎｏｗが、閾値Ｌｓを下回っているか否かによって乗員が車両１０に接近しているか否かを判定する。換言すれば、距離Ｌｎｏｗが、閾値Ｌｓ以内になったか否かを判定する。現在距離Ｌｎｏｗは、例えば携帯端末２０から送信された端末位置情報と、車両１０から送信された車両位置情報から、携帯端末２０と車両１０との直線距離として算出される。閾値Ｌｓは、制御部３３に予め設定された乗員と車両１０との間の直線距離である。閾値Ｌｓは、例えば、プレ空調に必要な時間に基づいて求められる。ここでプレ空調に必要な時間とは、車室内に乗り込んだ際に乗員が不快感を覚えることを回避可能な温度に内気温が到達するために必要なプレ空調の時間である。
【００１８】
閾値Ｌｓとしては、例えば目標空調時間Ｔｐに基づいて定められる乗員と車両１０との間の距離が設定される。ここで目標空調時間Ｔｐとは、プレ空調の実行に確保されるプレ空調確保時間である。ここでプレ空調の実行に確保される時間とは、例えば車室内に乗り込んだ際に乗員が不快感を覚えることを回避可能な温度に内気温が到達するために必要なプレ空調の時間である。
【００１９】
目標空調時間Ｔｐの決め方の一例について説明する。例えばプレ空調を夏季に実施する場合を考えると、車室内に乗り込んだ際に乗員が暑さによる不快感を覚えることを抑制するには、車室内温度（以下、内気温と表記）が外気温と同等以下であることが望ましい。したがって、乗員が乗車するまでにプレ空調によって内気温を外気温と同等な温度に到達させるのに必要な時間を、上述の必要な時間として定めることができる。より具体的な例としては、外気温が３５℃で日射が届く環境に車両１０を駐車すると、２０〜３０分程度で内気温は５０℃まで上昇する。この状態でプレ空調を開始し、内気温が外気温と同等、すなわち３５℃まで下がるには、３分程度の時間が必要となる。以上により、夏季のプレ空調に必要な時間Ｔｐとして、３分を設定することができる。
【００２０】
すなわち閾値Ｌｓは、上述のように定められたプレ空調に必要な時間と、乗員の歩行速度とを用いて算出することができる。乗員の歩行速度は、人の平均歩行速度とすることができる。または、乗員の平均歩行速度を携帯端末２０等によって収集する乗員の歩行データから算出してもよい。例えばプレ空調に必要な時間を上述の３分、乗員の歩行速度を４ｋｍ／ｈとすると、閾値Ｌｓは２００ｍと設定できる。
【００２１】
開始時刻予測部３３ｄは、再乗車時間に基づいてプレ空調を開始する時刻を予測する。開始時刻予測部３３ｄは、例えばデータ格納部３２に記憶された乗員の行動パターンに基づいて再乗車時間を予測する。より具体的な例としては、データ格納部３２が記憶した施設種類別の乗員の平均滞在時間から、目的地となっている施設が該当する施設種類の平均滞在時間を再乗車時間として選択する。または、乗員個人の平均滞在時間ではなく、目的地を訪れる人の平均滞在時間を、データ格納部３２に記憶されたデータベースやインターネット等から取得して再乗車時間として採用してもよい。開始時刻予測部３３ｄは、再乗車時間に加えて、例えばカーナビ等が算出する目的地への到着予定時刻と、予め設定された目標空調時間Ｔｐとに基づいて開始時刻を予測する。すなわち、到着予定時刻から再乗車時間分だけ進めた時刻である再乗車時刻から目標空調時間Ｔｐだけ戻った時刻を、開始時刻として予測する。
【００２２】
プレ空調開始指示部３３ｊは、プレ空調を開始する指示を無線通信部３１から車両１０に対して送信する。プレ空調開始指示部３３ｊは、車両１０側の無線通信部１１を介して空調ＥＣＵ１４に対してプレ空調開始を指示する。プレ空調開始指示部３３ｊは、接近判定部３３ａの判定に基づいてプレ空調の開始を空調ＥＣＵ１４に指示する。より具体的には、乗員が閾値Ｌｓ以内に車両１０に接近していると判定された場合に空調指示を送信する。
【００２３】
車両１０は、モータに電力を供給するバッテリ１７ａが搭載されている。モータは、バッテリ１７ａからの電力供給によって回転駆動するだけでなく、エンジン１９ａの駆動力または走行駆動輪の駆動力の一部を利用して発電を行うことでバッテリ１７ａを充電可能なモータジェネレータによって提供される。バッテリ１７ａは、モータ以外の電子機器に対しても電力を供給可能である。特にバッテリ１７ａは、車両用空調装置１５に電力を駆動し、空調を実施させることができる。これにより車両用空調装置１５は、乗員の乗車前、すなわちイグニッションスイッチがオフの状態であってもプレ空調を実施することができる。エンジン１９ａ、モータジェネレータ１８ａ（以下、ＭＧ１８ａと表記）、バッテリ１７ａは、それぞれエンジンＥＣＵ１９、ＭＧＥＣＵ１８、バッテリＥＣＵ１７によってその挙動を監視および／または制御される。エンジンＥＣＵ１９、ＭＧＥＣＵ１８、バッテリＥＣＵ１７は、上位ＥＣＵであるＨＶＥＣＵ１６と相互に通信し、ＨＶＥＣＵ１６からの指令に基づいてエンジン１９ａ、ＭＧ１８ａ、バッテリ１７ａの制御を行う。
【００２４】
車両用空調装置１５は、例えばヒートポンプサイクルを備える。車両用空調装置１５は車室内の空調を実現するための各種の空調機能部品によって構成される。例えば、車両用空調装置１５は、内外気を切り替える内外気切替ドア、送風するためのブロワ、電動コンプレッサやエバポレータ、コンデンサなどで構成された空気の冷却、加熱を行うためのヒートポンプサイクルユニットなどで構成される。車両用空調装置１５は、空調ＥＣＵ１４によってその作動を制御される。
【００２５】
車両１０には、測位部２２と、無線通信部２１とが搭載されている。測位部１２は、ＧＮＳＳ（Global Navigation Satellite System）受信機と慣性センサとを備える。ＧＮＳＳ受信機は、ＧＮＳＳを構成する測位衛星が送信する測位信号を受信する受信機である。ＧＮＳＳ受信機は、ＧＰＳ、ＧＬＯＮＡＳＳ、Ｇａｌｉｌｅｏ、ＩＲＮＳＳ、ＱＺＳＳ、Ｂｅｉｄｏｕ等の衛星測位システムのうちで、少なくとも１つの衛星測位システムの各測位衛星から、測位信号を受信可能である。慣性センサは、車両１０の角速度を計測するジャイロセンサや、車両１０の加速度を計測する加速度センサである。測位部１２は、ＧＮＳＳ受信機による測位信号と慣性センサによる計測結果との組み合わせにより車両１０の位置を逐次決定する。すなわち測位部１２は、車両１０の位置を特定する機能を有する。測位部１２は、得られた車両位置情報を無線通信部２１からサーバ装置３０へと送信可能である。
【００２６】
無線通信部１１は、インターネット、携帯電話網等の公衆回線網および基地局を介してサーバ装置３０および携帯端末２０と無線通信を行う。無線通信部１１は、サーバ装置３０および携帯端末２０と相互通信可能である。または、携帯端末２０とは直接通信を行わない構成であってもよい。
【００２７】
空調ＥＣＵ１４、ＨＶＥＣＵ１６、エンジンＥＣＵ１９、ＭＧＥＣＵ１８、バッテリＥＣＵ１７は、それぞれ車両１０に搭載された複数の車載ＥＣＵ（Electronic Control Unit）の１つである。複数の車載ＥＣＵは、コンピュータによって読み取り可能な記憶媒体を備えるマイクロコンピュータを主なハードウェア要素として備える。記憶媒体は、コンピュータによって読み取り可能な所定のプログラムを非一時的に記憶する非遷移的実体的記憶媒体である。記憶媒体は、半導体メモリまたは磁気ディスクなどによって提供されうる。複数の車載ＥＣＵは、記憶媒体に記憶された各種のプログラムをＣＰＵ等のプロセッサによって実行することで、各種制御処理を実施する機能を有する。
【００２８】
バッテリＥＣＵ１７は、電流センサによって検出されるバッテリ１７ａ電流に基づいて、バッテリ１７ａの充電状態を表すＳＯＣ（State of charge）を算出する。ここでＳＯＣとは、満充電時の充電量に対する実際の充電量の割合である。例えば、バッテリＥＣＵ１７は、バッテリ１７ａの充電電流をプラス値とし、バッテリ１７ａの放電電流をマイナス値として充放電電流を積算し、その積算値に基づいてバッテリ１７ａの現在のＳＯＣを算出する。なお、ＳＯＣの検出方法は、電流センサによって検出されたバッテリ電流に基づいてＳＯＣを算出するものに限られず、例えば、バッテリ電解液比重センサ、セル電圧センサ、バッテリ端子電圧センサ等に基づいて算出する構成としても良い。
【００２９】
ＨＶＥＣＵ１６は、バッテリＥＣＵ１７、ＭＧＥＣＵ１８、エンジンＥＣＵ１９の上位のＥＣＵである。ＨＶＥＣＵ１６は、運転者のアクセルペダル操作量を示すアクセル開度、車速などの情報に基づいて、車両１０を駆動するために必要な駆動トルクを算出する。ＨＶＥＣＵ１６は、バッテリ１７ａの実際のＳＯＣを考慮しつつ、すなわちモータアシスト可能なＳＯＣ範囲を考慮しつつ、ＭＧ１８ａとエンジン１９ａとの駆動トルク合計値が必要駆動トルクと一致するよう、ＭＧ１８ａとエンジンへの要求駆動トルクを決定する。なお、バッテリ１７ａのＳＯＣが極端に低下している場合には、エンジン１９ａのみが駆動トルクを発生し、さらに、そのエンジン１９ａの発生動力の一部を用いて、ＭＧ１８ａに発電を行わせる場合もある。
【００３０】
エンジンＥＣＵ１９は、エンジン１９ａへの要求駆動トルクを実現すべく、燃料噴射量や噴射時期、点火タイミング、エンジン１９ａの吸入空気量などを制御する。なお、ＭＧ１８ａに発電を行わせる場合、ＨＶＥＣＵ１６は、ＭＧＥＣＵ１８に対し、要求駆動トルクとして負の駆動トルクを出力する。
【００３１】
空調ＥＣＵ１４は、車両用空調装置１５を制御する制御装置である。空調ＥＣＵ１４は、車両用空調装置におけるブロワ、コンプレッサ、エアミックスドア、内外気切替ドア、吹出口切替ドア等を制御する。空調ＥＣＵ１４は、車両１０に乗員が乗車する前、イグニッションスイッチがオフの状態でも車両用空調装置１５を制御して空調を実行することができる。空調ＥＣＵ１４は、プレ空調の実行開始または実行中のプレ空調の解除を、サーバ装置３０からの指示を受けて実行する。空調ＥＣＵは、車両に設けられた各種センサ１３と通信し、各種センサが検出した情報を取得する。各種センサ１３とは、車室内温度センサ、車外温度センサ、日射センサ、車室内湿度センサ、車外湿度センサ等である。
【００３２】
空調ＥＣＵ１４は、機能ブロックとして、目的地取得部１４ａ、開始時温度予測部１４ｂ、熱負荷予測部１４ｃ、必要ＳＯＣ予測部１４ｄ、開始指示に従ってプレ空調を実行するプレ空調制御部１４ｅを有する。
【００３３】
目的地取得部１４ａは、走行前または走行中の車両が到着する目的地の位置情報を取得する。目的地取得部１４ａは、例えば乗員が入力したカーナビの目的地情報に基づいて目的地を取得する。または、目的地取得部１４ａは、乗員の行動パターンから目的地を推定することで目的地の位置情報を取得してもよい。
【００３４】
開始時温度予測部１４ｂは、プレ空調を開始する時点での車室内温度である開始時温度を予測する。開始時温度予測部１４ｂは、外気温情報、日射情報に基づいて、目的地への到着予定時刻からプレ空調開始時刻までの間に、車室内温度が到達する温度を開始時温度として予測する。ここでプレ空調開始時刻は、サーバ装置３０にて予測された時刻である。また、目的地への到着予定時刻における車室内温度は、例えば内気センサによって取得される走行中の車両１０の車室内温度である。
【００３５】
熱負荷予測部１４ｃは、目的地取得部１４ａが取得した目的地にてプレ空調を実行する際の熱負荷を予測する。熱負荷とは、車室内と車外との間で移動する熱量の和である。熱負荷予測部１４ｃは、例えば目的地の日射情報、外気温、開始時温度等を使用する。すなわち、熱負荷予測部１４ｃは、日射情報から日射による車室内への侵入熱を予測し、外気温から車室内外温度差による侵入熱を予測することで、車外から車室内へと流入する熱量を予測する。熱負荷予測部１４ｃは、この車外から車室内へと流入する熱量と、開始時温度に基づいて、プレ空調の開始から目標空調時間Ｔｐ後に目標温度に到達させる場合の熱負荷を予測する。
【００３６】
必要ＳＯＣ予測部１４ｄは、熱負荷予測部１４ｃが予測した熱負荷に基づいて、目的地に到着した時点でバッテリ１７ａの必要ＳＯＣを算出する。ここで必要ＳＯＣとは、目的地にてプレ空調を実行して乗員が乗車するまでに車室内温度を目標車室内温度に到達させるために車両用空調装置１５が必要とする目標電力量に相当するバッテリ１７ａの充電量である。必要ＳＯＣ予測部１４ｄは、目標電力量予測部の一例である。
【００３７】
空調ＥＣＵ１４は、必要ＳＯＣ予測部１４ｄにて予測した必要ＳＯＣの情報を、ＨＶＥＣＵ１６に対して出力する。ＨＶＥＣＵ１６は、機能ブロックとして、充電量制御部１６ａを有する。充電量制御部１６ａは、空調ＥＣＵ１４から取得した必要ＳＯＣに基づいて、目的地へと走行中の車両１０におけるバッテリ１７ａの充電量を制御する。すなわち、目的に到着した時点で、バッテリ１７ａの残量ＳＯＣが、必要ＳＯＣと同等となっているように、残量ＳＯＣを調整する。より具体的な例としては、充電量制御部１６ａは、車両が目的地に所定距離以内に接近した場合に、バッテリ１７ａの電力を利用したモータ走行を停止して、エンジン走行へと切り替える。このときのエンジン１９ａのクランク軸の回転による回生発電によって、バッテリ１７ａに充電する。この場合の所定距離は、例えば目的地までの走行パターンから推定されるＳＯＣの変動パターンおよび必要ＳＯＣに基づいて、どの時点で回生発電に切り替えれば目的地の到着時に必要ＳＯＣを残すことが可能かによって定めればよい。
【００３８】
次に、空調制御システム１が実行する処理の一例について図３のフローチャートを参照しながら説明する。空調制御システム１は、図３のフローチャートの処理を、例えば乗員が車両１０にてイグニッションをオンにした時点で実行する。
【００３９】
まず空調制御システム１は、ステップＳ１０で目的地がカーナビに設定されているか否かを判定する。目的地がカーナビに設定されていると判定された場合には、ステップＳ２０へと進み、この設定された目的地の情報を熱負荷予測のために取得する。目的地がカーナビに設定されていないと判定された場合には、ステップＳ１５へと進む。
【００４０】
ステップＳ１５では、乗員の行動パターンから目的地を推定可能か否か判定する。ステップＳ１５の処理は、目的地推定部３３ｂにおける処理である。目的地が推定可能でないと判定された場合には、ステップＳ１０に戻り、目的地が取得できる状況になるまでステップＳ１０、ステップＳ１５の処理を繰り返す。ステップＳ１５で目的地が推定可能であると判定された場合には、ステップＳ２０に進んで推定した目的地を取得する。ステップＳ２０の処理は、目的地取得部１４ａにおける処理である。
【００４１】
ステップＳ２０の後にはステップＳ３０へと進み、開始時温度を予測する。ステップＳ３０は、開始時温度予測部１４ｂの処理である。ステップＳ３０の後にステップＳ４０へと進み、目的地の環境情報および予測した開始時温度に基づいて、目的地における熱負荷を予測する。ステップＳ４０の処理が、熱負荷予測部１４ｃにおける処理である。ステップＳ４０の後にステップＳ５０へと進み、予測した熱負荷を基に必要ＳＯＣを予測する。ステップＳ５０の処理が、必要ＳＯＣ予測部１４ｄにおける処理である。
【００４２】
ステップＳ５０にて必要ＳＯＣが算出されると、ステップＳ６０へと進んで必要ＳＯＣに応じた充電量制御を開始する。ステップＳ６０の処理は、空調ＥＣＵ１４が出力した必要ＳＯＣの情報を取得したＨＶＥＣＵ１６の充電量制御部１６ａが実行する処理である。
【００４３】
次に図４のグラフを参照して具体的な状況の一例における空調制御システム１の作動を説明する。図４の上段のグラフは、バッテリ１７ａのＳＯＣの時間変化を示すグラフである。より具体的には、車両が時刻ｔ０で目的地へと出発し、時刻ｔ２で目的地に到着して乗員が降車し、ｔ５で乗員が乗車するまでの間のＳＯＣの変化を示している。図４の下段のグラフは、車室内温度の時間変化を示すグラフである。なお、図４の例においては、夏季で車両用空調装置１５が冷房を実施する場合を想定している。
【００４４】
まず時刻ｔ０でイグニッションがオンになった時点で、フローチャートの処理を開始する。ここで乗員がカーナビに目的地を入力したとすると、ステップＳ１０からステップＳ２０へと進み、目的地情報を取得する。その後ステップＳ３０からステップＳ５０までの処理で、必要ＳＯＣを算出した後にステップＳ６０でＳＯＣの制御スケジュールを決定する。時刻ｔ１で、車両１０が目的地まで所定距離の範囲に到達したとすると、ＨＶＥＣＵ１６が車両１０をモータ走行からエンジン走行に切り替え、回生発電を開始する。
【００４５】
したがって、時刻ｔ２にて目的地に到達した時点で、バッテリ１７ａのＳＯＣが必要ＳＯＣだけ残っている状態となる。なお、時刻ｔ０から時刻ｔ２までの間の車室内温度は、車両用空調装置１５の空調によって一定に保たれているとする。時刻ｔ２にて目的地に到着して乗員が車両１０を駐車して降車すると、イグニッションがオフになった時点で車両用空調装置１５も作動を停止し、車室内温度が外部からの熱の流入によって上昇し始める。
【００４６】
時刻ｔ３で、乗員が車両１０に乗車するために接近し、プレ空調開始距離に到達したとすると、プレ空調を開始する。空調制御システムは、事前に乗員が再乗車する時刻ｔ５を予測し、プレ空調の開始時刻ｔ３での車室内温度を予測している。したがって、必要ＳＯＣ分の電力による車両用空調装置１５の稼働によって、時刻ｔ５までプレ空調を持続させ、車室内温度を目標室温まで低下させることができる。
【００４７】
例えば図４のグラフにおいて破線で示すように、上述の充電量制御を実行しない場合には、時刻ｔ２で目的地に到達した時点で必要ＳＯＣに相当する電力量が残っていない状況が起こりうる。この場合、時刻ｔ３でプレ空調を開始しても、時刻ｔ５よりも早い時刻ｔ４でプレ空調に使用可能な電力量がなくなり、プレ空調を停止してしまう。したがって、時刻ｔ４から時刻ｔ５まで車室内に流入する熱量によって再び車室内温度が上昇してしまう。また、時刻ｔ５までプレ空調を持続できるようにプレ空調の開始を時刻ｔ３より遅らせたとしても、その間の熱負荷の増加により目標室温に到達させるのに必要な電力量が増加するため、プレ空調に必要な電力量が足りなくなる。したがって、空調制御システム１による必要ＳＯＣの予測と充電量制御とによって、乗員の再乗車時に車室内温度が目標車室内温度へと到達する確実性を高めることができる。
【００４８】
次に第１実施形態の空調制御システム１がもたらす作用効果について説明する。第１実施形態の空調制御システム１は、車両用空調装置１５にプレ空調を実行させる空調ＥＣＵ１４と、車両１０の目的地を取得する目的地取得部１４ａを備える。空調制御システム１は、目的地取得部１４ａが取得した目的地でプレ空調を実行して車室内温度を目標車室内温度に到達させるために必要な目標充電量である必要ＳＯＣを予測する必要ＳＯＣ予測部１４ｄを備える。空調制御システム１は、目的地に到着した時点での充電量が必要ＳＯＣ以上となるようにバッテリ１７ａの充電量を制御する充電量制御部１６ａを備える。
【００４９】
これによれば、空調制御システム１は、車両が目的地に到着した時点で、目的地においてプレ空調を実行して車室内温度を目標車室内温度に到達させるために必要な目標充電量を充電しているようにバッテリ１７ａの充電量を制御することができる。したがって、プレ空調を実行するために必要なバッテリ１７ａの充電量が不足することを回避可能な空調制御システムを提供することができる。
【００５０】
空調制御システム１は、目的地に駐車した状態の車両における熱負荷を予測する熱負荷予測部１４ｃをさらに備える。目標充電量決定部は、熱負荷予測部１４ｃにおいて予測された熱負荷と、プレ空調の実行に確保されるプレ空調確保時間と、プレ空調目標温度とに基づいて目標充電量を決定する。
【００５１】
これによれば、空調制御システム１は、車両における熱負荷を予測して、予測した熱負荷、プレ空調確保時間、プレ空調目標温度に基づいて目標充電量を決定できる。したがって、より目的地の環境に合わせた目標充電量を決定できる。
【００５２】
目的地における駐車場の形状を取得する駐車場情報取得部３３ｃをさらに備え、熱負荷予測部１４ｃは、駐車場情報取得部３３ｃにて取得された駐車場の形状に基づいて熱負荷を予測する。これによれば、目的地の駐車場の形状に基づいて熱負荷を予測する。したがって、目的地における車両の日射環境をより正確に予測できる。すなわち、目的地の環境に合わせた目標充電量の予測を、より正確に行うことが可能である。
【００５３】
空調制御システム１は、目的地にてプレ空調を開始する開始時刻を予測する開始時刻予測部３３ｄと、開始時刻における車室内温度を予測する開始時温度予測部１４ｂと、を備える。熱負荷予測部１４ｃは、開始時温度予測部１４ｂにおいて予測された開始時刻における車室内温度と、目標温度との差から熱負荷を予測する。これによれば、プレ空調を開始すると予測される開始時刻における車室内温度を予測することができるので、熱負荷をより正確に予測することが可能となる。
【００５４】
モータジェネレータ１８ａは、エンジン１９ａの駆動力で発電可能である。充電量制御部１６ａは、車両１０が目的地に対して所定距離以内に接近した場合にモータジェネレータ１８ａの発電によってバッテリ１７ａに対する充電を開始する。これによって目的地に到着した時点での充電量が目標電力量以上となるようにバッテリ１７ａの充電量を制御する。これによれば、空調制御システム１は、所定距離以内に車両１０が接近するまでは、通常の走行制御を継続することができる。
【００５５】
（第１実施形態の変形例）
上述の実施形態において、充電量制御部１６ａは、車両１０が目的地に対して所定距離以内に接近した場合にバッテリ１７ａに対する充電を開始することで目的地に到着した時点での充電量が必要ＳＯＣとなるようにバッテリ１７ａの充電量を制御するとした。これに代えて、充電量制御部１６ａは、以下のようにバッテリ１７ａの充電量を制御してもよい。
【００５６】
すなわち、車両１０の走行開始時のバッテリ１７ａの残量ＳＯＣが必要ＳＯＣよりも大きい値であった場合には、走行を開始してバッテリ１７ａのＳＯＣが必要ＳＯＣ未満まで低下しないように充電量を制御してもよい。具体的には、例えばＳＯＣが必要ＳＯＣにまで低下した時点でモータ走行を禁止するように走行制御を行うことで、充電量を制御する。このとき、エンジン１９ａの駆動力による発電でバッテリ１７ａに充電し、ＳＯＣが必要ＳＯＣよりも所定量以上大きくなった場合には、再びモータ走行を許可するようにしてもよい。
【００５７】
また、ＳＯＣが必要ＳＯＣ未満に低下しても目的地到着までに必要ＳＯＣ以上まで充電可能であると判断できる場合には、ＳＯＣが必要ＳＯＣ未満に低下した場合あるいは低下すると推定される場合であってもモータ走行を許可する構成であってもよい。
【００５８】
（第２実施形態）
第２実施形態では、第１実施形態における空調制御システムの変形例について説明する。図５において第１実施形態の図面中と同一符号を付した構成要素は、同様の構成要素であり、同様の作用効果を奏するものである。
【００５９】
第２実施形態において、熱負荷予測部１４ｃは、目的地における車室内温度の最大温度変化量を予測する変化量予測部１４ｃ１をより細かい機能ブロックとして備える。変化量予測部１４ｃ１は、目的地の外気温、日射量等より、車室内温度の目的地到着時からの最大温度変化量を予測する。換言すれば、車外から車室内に流入する熱量と車室内から車外へと流出する熱量とがつりあった状態での到着時からの車室内温度の変化量を予測する。
【００６０】
熱負荷予測部１４ｃは、この最大温度変化量に基づいて、熱負荷を予測する。すなわち、車外から車室内に流入する熱量と車室内から車外へと流出する熱量とがつりあった状態での車室内温度からプレ空調によって目標空調温度まで到達させる場合のプレ空調の熱負荷を予測する。
【００６１】
以上のように、第２実施形態の空調制御システムは、目的地における車室内温度の最大温度変化量を予測し、最大温度変化量だけ変化した車室内温度と目標車室内温度との差から熱負荷を予測する。これによれば、最大温度変化量だけ変化した車室内温度に基づいた熱負荷を予測し、この熱負荷を基に目標電力量を設定するので、乗員の再乗車のタイミングによらず乗員の再乗車までプレ空調を持続させる確実性をより向上することができる。
【００６２】
（第３実施形態）
第３実施形態では、第１実施形態における空調制御システム１の変形例について説明する。図６において第１実施形態の図面中と同一符号を付した構成要素は、同様の構成要素であり、同様の作用効果を奏するものである。
【００６３】
第３実施形態において、空調ＥＣＵは、目標温度を設定する目標温度設定部１４ｆを有する。目標温度設定部１４ｆは、車両用空調装置における空調の温度設定履歴に基づいて、目標温度を設定する。例えば、目標温度設定部１４ｆは、車両用空調装置１５におけるマニュアル操作による設定温度の履歴を記憶し、この履歴に基づいて目標温度を設定する。例えば、設定温度の履歴から設定温度の平均を算出し、この平均を乗員の好みの設定温度として目標温度に設定する。
【００６４】
第３実施形態において空調制御システム１は車両用空調装置の実行する空調の設定温度の履歴に基づいて目標温度を設定する目標温度設定部１４ｆを有する。これによれば、プレ空調の目標温度を設定温度の履歴に基づいて設定することができるので、プレ空調によって乗員の乗車時に車室内温度をより乗員にとって好ましい温度に近づけることが可能となる。
【００６５】
（他の実施形態）
この明細書における開示は、例示された実施形態に制限されない。開示は、例示された実施形態と、それらに基づく当業者による変形態様を包含する。例えば、開示は、実施形態において示された部品および／または要素の組み合わせに限定されない。開示は、多様な組み合わせによって実施可能である。開示は、実施形態に追加可能な追加的な部分をもつことができる。開示は、実施形態の部品および／または要素が省略されたものを包含する。開示は、ひとつの実施形態と他の実施形態との間における部品および／または要素の置き換え、または組み合わせを包含する。開示される技術的範囲は、実施形態の記載に限定されない。開示されるいくつかの技術的範囲は、特許請求の範囲の記載によって示され、さらに特許請求の範囲の記載と均等の意味及び範囲内での全ての変更を含むものと解されるべきである。
【００６６】
上述の実施形態において、接近判定部３３ａ、駐車場情報取得部３３ｃ、開始時刻予測部３３ｄ、プレ空調開始指示部３３ｊは、サーバ装置３０の制御部３３によって実行されるとした。これに代えて、空調ＥＣＵ１４等の車載ＥＣＵがこれらの機能を有する構成であってもよい。
【００６７】
上述の実施形態において、乗員と車両との間の現在距離Ｌｎｏｗは、測位衛星が送信する測位信号に基づいて携帯端末２０と車両１０のそれぞれの位置情報を取得し、取得された位置情報から算出するとした。これに代えて、携帯端末と車両との間で実施される近距離通信によって直線距離を算出してもよい。近距離通信とは、例えばＢｌｕｅｔｏｏｔｈ（登録商標）や、Ｗｉ−Ｆｉ（登録商標）、ＺｉｇＢｅｅ（登録商標）等の近距離無線通信規格に準拠した通信である。
【００６８】
上述の実施形態において、乗員が一旦降車して車両１０から離れた後で、再び車両１０に所定距離以内に接近した際にプレ空調を開始するとした。これに代えて、車両１０のイグニッションがオフになった時点でプレ空調を開始してもよい。特に、比較的目的地での滞在時間が短いと予測される場合にこの構成を採用することができる。
【符号の説明】
【００６９】
１０  車両、  １４ａ  目的地取得部、  １４ｂ  開始時温度予測部、    １４ｃ  熱負荷予測部、  １４ｃ１  変化量予測部、  １４ｄ  目標電力量予測部、１４ｆ  目標温度設定部、  １５  車両用空調装置、  １６ａ  充電量制御部、  １７ａ  バッテリ、  １８ａ  モータ、  １９ａ  エンジン、  ３３ｃ  駐車場情報取得部、  ３３ｄ  開始時刻予測部。
【図１】
2019081470.tif 000003
【図２】
2019081470.tif 000004
【図３】
2019081470.tif 000005
【図４】
2019081470.tif 000006
【図５】
2019081470.tif 000007
【図６】
2019081470.tif 000008